(57)【要約】【課題】発電部で発電された電力を有効に活用することが可能な電力供給システムを提供する。【解決手段】電力経路Ｌに設けられて電力経路Ｌの当該設けられた箇所を流通する電力を検出するセンサ４１・４２・４３を具備し、センサ４１・４２・４３は、電力経路Ｌにおいて第二蓄電システム２０の系統電源Ｋ側に隣接するように設けられて、第一蓄電システム１０のハイブリッドパワコン１３に検出結果を出力可能なセンサ４２を具備し、第一蓄電システム１０のハイブリッドパワコン１３は、センサ４２の検出結果に基づいて蓄電池１２の動作を制御するＰＶ余剰充電モード２を実行可能に構成され、ＰＶ余剰充電モード２において、センサ４２が逆潮流される電力を検出した場合、当該逆潮流される電力を、負荷Ｈへと供給するか、又は、第一蓄電システム１０の蓄電池１２に充電する。【選択図】図１
2019068557.tif 000002
【特許請求の範囲】
【請求項１】
電力を負荷に供給する電力供給部が、系統電源と前記負荷とを接続する電路に複数接続された電力供給システムであって、
前記電力供給部は、
発電可能な発電部と、
前記発電部によって発電された電力を充電可能であると共に当該電力を前記負荷へと供給可能な蓄電池と、
前記蓄電池の動作を制御するパワーコンディショナと、
を具備し、
前記電力供給部には、下流側電力供給部、及び前記下流側電力供給部よりも前記系統電源側に位置する上流側電力供給部が含まれ、
前記電力供給システムは、
前記電路に設けられて前記電路の当該設けられた箇所を流通する電力を検出する検出部を具備し、
前記検出部は、
前記電路において前記上流側電力供給部の前記系統電源側に隣接するように設けられて、前記下流側電力供給部の前記パワーコンディショナに検出結果を出力可能な上流側検出部を具備し、
前記下流側電力供給部の前記パワーコンディショナは、
前記上流側検出部の検出結果に基づいて前記蓄電池の動作を制御する第一モードを実行可能に構成され、
前記第一モードにおいて、前記上流側検出部が逆潮流される電力を検出した場合、当該逆潮流される電力を、前記負荷へと供給するか、又は、前記下流側電力供給部の前記蓄電池に充電する、
電力供給システム。
【請求項２】
前記検出部は、
前記電路において前記下流側電力供給部の前記系統電源側に隣接するように設けられて、前記下流側電力供給部の前記パワーコンディショナに検出結果を出力可能な下流側検出部を具備し、
前記下流側電力供給部の前記パワーコンディショナは、
前記下流側検出部の検出結果に基づいて前記蓄電池の動作を制御する第二モードを実行可能に構成され、
前記電力供給システムは、
前記電力供給部それぞれの前記パワーコンディショナを制御すると共に、前記下流側電力供給部の前記パワーコンディショナに、前記第一モード及び前記第二モードを設定可能な制御部を具備する、
請求項１に記載の電力供給システム。
【請求項３】
前記制御部は、
前記電力供給システムにおいて、前記系統電源への逆潮流が発生しており、かつ、残量が所定値以下の前記蓄電池が存在する場合、当該蓄電池の動作を制御する前記パワーコンディショナを前記第一モードに設定する、
請求項２に記載の電力供給システム。
【請求項４】
前記制御部は、
残量が所定値以下の前記蓄電池が複数存在する場合、最も残量の少ない前記蓄電池の動作を制御する前記パワーコンディショナを前記第一モードに設定する、
請求項３に記載の電力供給システム。
【請求項５】
前記制御部は、
前記下流側電力供給部の前記パワーコンディショナを前記第一モードに設定した場合、当該下流側電力供給部と前記上流側検出部との間に位置する前記電力供給部の前記蓄電池を充電不可とするように、当該電力供給部の前記パワーコンディショナを制御する、
請求項２から請求項４までのいずれか一項に記載の電力供給システム。
【請求項６】
前記制御部は、
前記電力供給システムにおいて、前記系統電源からの買電が発生しており、かつ、前記第一モードに設定された前記パワーコンディショナが存在する場合、当該第一モードに設定された前記パワーコンディショナを前記第二モードに切り替えると共に、充電不可とした前記蓄電池を充電可能とするように、当該蓄電池の動作を制御する前記パワーコンディショナを制御する、
請求項５に記載の電力供給システム。
【発明の詳細な説明】
【技術分野】
【０００１】
本発明は、発電可能な発電部と、電力を充放電可能な蓄電池と、を有する電力供給システムの技術に関する。
【背景技術】
【０００２】
従来、発電可能な発電部と、電力を充放電可能な蓄電池と、を有する電力供給システムの技術は公知となっている。例えば、特許文献１に記載の如くである。
【０００３】
特許文献１に記載される蓄電池システムは、太陽電池（発電部）で発電した電力を蓄電池に充電し、蓄電池を最大充電量で充電させても電力が余剰する場合に、当該余剰した電力を系統電源へ逆潮流させる。
【０００４】
仮に、このような特許文献１に記載される蓄電池システムが複数設けられた場合、当該複数の蓄電池システムは、最大充電量及び太陽電池の発電量に応じて、個別に蓄電池の充電や系統電源への逆潮流を制御することとなる。このような構成においては、ある蓄電池システムでは発電量が増える等して電力を逆潮流させているにも関わらず、他の蓄電池システムでは発電量が減る等して電力が不足し、蓄電池を最大充電量で充電できない場合がある。このように、従来技術においては、太陽電池で発電した電力を有効に活用することができない場合があった。
【先行技術文献】
【特許文献】
【０００５】
【特許文献１】特開２０１２−４４７３３号公報
【発明の概要】
【発明が解決しようとする課題】
【０００６】
本発明は、以上の如き状況を鑑みてなされたものであり、その解決しようとする課題は、発電部で発電された電力を有効に活用することが可能な電力供給システムを提供するものである。
【課題を解決するための手段】
【０００７】
本発明の解決しようとする課題は以上の如くであり、次にこの課題を解決するための手段を説明する。
【０００８】
即ち、請求項１においては、電力を負荷に供給する電力供給部が、系統電源と前記負荷とを接続する電路に複数接続された電力供給システムであって、前記電力供給部は、発電可能な発電部と、前記発電部によって発電された電力を充電可能であると共に当該電力を前記負荷へと供給可能な蓄電池と、前記蓄電池の動作を制御するパワーコンディショナと、を具備し、前記電力供給部には、下流側電力供給部、及び前記下流側電力供給部よりも前記系統電源側に位置する上流側電力供給部が含まれ、前記電力供給システムは、前記電路に設けられて前記電路の当該設けられた箇所を流通する電力を検出する検出部を具備し、前記検出部は、前記電路において前記上流側電力供給部の前記系統電源側に隣接するように設けられて、前記下流側電力供給部の前記パワーコンディショナに検出結果を出力可能な上流側検出部を具備し、前記下流側電力供給部の前記パワーコンディショナは、前記上流側検出部の検出結果に基づいて前記蓄電池の動作を制御する第一モードを実行可能に構成され、前記第一モードにおいて、前記上流側検出部が逆潮流される電力を検出した場合、当該逆潮流される電力を、前記負荷へと供給するか、又は、前記下流側電力供給部の前記蓄電池に充電するものである。
【０００９】
請求項２においては、前記検出部は、前記電路において前記下流側電力供給部の前記系統電源側に隣接するように設けられて、前記下流側電力供給部の前記パワーコンディショナに検出結果を出力可能な下流側検出部を具備し、前記下流側電力供給部の前記パワーコンディショナは、前記下流側検出部の検出結果に基づいて前記蓄電池の動作を制御する第二モードを実行可能に構成され、前記電力供給システムは、前記電力供給部それぞれの前記パワーコンディショナを制御すると共に、前記下流側電力供給部の前記パワーコンディショナに、前記第一モード及び前記第二モードを設定可能な制御部を具備するものである。
【００１０】
請求項３においては、前記制御部は、前記電力供給システムにおいて、前記系統電源への逆潮流が発生しており、かつ、残量が所定値以下の前記蓄電池が存在する場合、当該蓄電池の動作を制御する前記パワーコンディショナを前記第一モードに設定するものである。
【００１１】
請求項４においては、前記制御部は、残量が所定値以下の前記蓄電池が複数存在する場合、最も残量の少ない前記蓄電池の動作を制御する前記パワーコンディショナを前記第一モードに設定するものである。
【００１２】
請求項５においては、前記制御部は、前記下流側電力供給部の前記パワーコンディショナを前記第一モードに設定した場合、当該下流側電力供給部と前記上流側検出部との間に位置する前記電力供給部の前記蓄電池を充電不可とするように、当該電力供給部の前記パワーコンディショナを制御するものである。
【００１３】
請求項６においては、前記制御部は、前記電力供給システムにおいて、前記系統電源からの買電が発生しており、かつ、前記第一モードに設定された前記パワーコンディショナが存在する場合、当該第一モードに設定された前記パワーコンディショナを前記第二モードに切り替えると共に、充電不可とした前記蓄電池を充電可能とするように、当該蓄電池の動作を制御する前記パワーコンディショナを制御するものである。
【発明の効果】
【００１４】
本発明の効果として、以下に示すような効果を奏する。
【００１５】
請求項１においては、発電部で発電された電力を有効に活用することができる。
【００１６】
請求項２においては、蓄電池の動作を適宜変更することができる。
【００１７】
請求項３においては、残量が所定値以下の蓄電池の残量が減るのを抑制することができる。
【００１８】
請求項４においては、最も残量の少ない蓄電池の残量が減るのを抑制することができる。
【００１９】
請求項５においては、系統電源へと逆潮流される電力を、下流側供給部又は下流側供給部よりも下流側に供給し易くすることができる。
【００２０】
請求項６においては、前記系統電源からの買電量を低減させることができる。
【図面の簡単な説明】
【００２１】
【図１】第一実施形態に係る電力供給システムを示したブロック図。
【図２】運転モード設定処理を示したフローチャート。
【図３】第一状態の電力供給システムを示したブロック図。
【図４】第一状態の電力供給システムにおいて、下流側のハイブリッドパワコンがＰＶ余剰充電モード２に設定されたときの電力の流れを示したブロック図。
【図５】第二状態の電力供給システムを示したブロック図。
【図６】第二状態の電力供給システムにおいて、下流側のハイブリッドパワコンがＰＶ余剰充電モード２に設定されたときの電力の流れを示したブロック図。
【図７】第三状態の電力供給システムを示したブロック図。
【図８】第三状態の電力供給システムにおいて、下流側のハイブリッドパワコンがＰＶ余剰充電モード２に設定されたときの電力の流れを示したブロック図。
【図９】第四状態の電力供給システムを示したブロック図。
【図１０】第四状態の電力供給システムにおいて、下流側のハイブリッドパワコンがＰＶ余剰充電モード２に設定されたときの電力の流れを示したブロック図。
【図１１】第五状態の電力供給システムを示したブロック図。
【図１２】第五状態の電力供給システムにおいて、下流側のハイブリッドパワコンがＰＶ余剰充電モード２に設定されたときの電力の流れを示したブロック図。
【図１３】第六状態の電力供給システムを示したブロック図。
【図１４】第六状態の電力供給システムにおいて、下流側のハイブリッドパワコンがＰＶ余剰充電モード２に設定されたときの電力の流れを示したブロック図。
【図１５】第二実施形態に係る電力供給システムを示したブロック図。
【図１６】第二実施形態の別例に係る電力供給システムを示したブロック図。
【図１７】図６に示す電力供給システムにおいて、余剰電力充電処理を行ったときの電力の流れを示したブロック図。
【図１８】図１４に示す電力供給システムにおいて、余剰電力充電処理を行ったときの電力の流れを示したブロック図。
【図１９】第七状態の電力供給システムを示したブロック図。
【図２０】第七状態の電力供給システムにおいて、余剰電力充電処理を行ったときの電力の流れを示したブロック図。
【発明を実施するための形態】
【００２２】
以下では、本発明の第一実施形態に係る電力供給システム１について説明する。
【００２３】
図１に示す電力供給システム１は、系統電源Ｋからの電力や、太陽光を利用して発電された電力を負荷Ｈへと供給するものである。本実施形態に係る電力供給システム１は、集合住宅に設けられ、当該集合住宅の負荷Ｈ（例えば、複数の住宅の機器等）へと電力を供給する。電力供給システム１は、主として第一蓄電システム１０、第二蓄電システム２０、センサ４１・４２、増設センサ５１及びＥＭＳ６０を具備する。
【００２４】
第一蓄電システム１０は、太陽光を利用して発電された電力を蓄電したり、負荷Ｈへと供給するものである。第一蓄電システム１０は、太陽光発電部１１、蓄電池１２及びハイブリッドパワコン１３を具備する。
【００２５】
太陽光発電部１１は、太陽光を利用して発電する装置である。太陽光発電部１１は、太陽電池パネル等により構成される。太陽光発電部１１は、例えば、住宅の屋根の上等の日当たりの良い場所に設置される。
【００２６】
蓄電池１２は、電力を充電可能に構成されるものである。蓄電池１２は、例えば、リチウムイオン電池により構成される。蓄電池１２は、後述するハイブリッドパワコン１３を介して太陽光発電部１１と接続される。なお、蓄電池１２は、本実施形態において、その最大充電量が２０００Ｗであり、最大放電量が２０００Ｗであるものとする。最大充電量とは、蓄電池１２が単位時間当たりに充電可能な最大の電力量を指す。最大放電量とは、蓄電池１２が単位時間当たりに放電可能な最大の電力量を指す。
【００２７】
ハイブリッドパワコン１３は、電力を適宜変換するもの（ハイブリッドパワーコンディショナ）である。ハイブリッドパワコン１３は、太陽光発電部１１で発電された電力及び蓄電池１２から放電された電力を負荷Ｈに出力可能であると共に、太陽光発電部１１で発電された電力及び系統電源Ｋからの電力を蓄電池１２に出力可能に構成される。また、ハイブリッドパワコン１３は、太陽光発電部１１及び蓄電池１２の運転状態に関する情報を取得可能に構成される。ハイブリッドパワコン１３は、所定の記憶装置に蓄電池１２の最大充電量を記憶している。このようなハイブリッドパワコン１３は、系統電源Ｋから負荷Ｈへと電力を供給する電力経路Ｌの第一接続点Ｐ１と接続される。
【００２８】
このように構成される第一蓄電システム１０のハイブリッドパワコン１３は、後述するセンサ４１及び増設センサ５１の検出結果等に基づいて、蓄電池１２の充放電を切り替えることができる。
【００２９】
第二蓄電システム２０は、第一蓄電システム１０よりも電力経路Ｌの上流側の第二接続点Ｐ２にハイブリッドパワコン２３が接続される点を除いて、第一蓄電システム１０と同様に構成される。具体的には、第二蓄電システム２０の太陽光発電部２１、蓄電池２２及びハイブリッドパワコン２３は、それぞれ第一蓄電システム１０の太陽光発電部１１、蓄電池１２及びハイブリッドパワコン１３に相当する。
【００３０】
センサ４１は、電力経路Ｌにおいて、第一接続点Ｐ１と第二接続点Ｐ２との間に設けられる。また、センサ４１は、第一接続点Ｐ１の上流側（系統電源Ｋ側）に隣接するように（電力経路Ｌと他の蓄電システムとの接続点が介在しないように）設けられる。センサ４１は、設けられた箇所を流通する電力（例えば、負荷Ｈ等へと供給される電力や、系統電源Ｋへと逆潮流される電力）の電圧（供給電圧）及び電流（供給電流）を検出する。センサ４１は、第一蓄電システム１０のハイブリッドパワコン１３と接続され、検出結果に関する信号をハイブリッドパワコン１３へ出力可能に構成される。
【００３１】
センサ４２は、電力経路Ｌにおいて、第二接続点Ｐ２と系統電源Ｋとの間に設けられる点、及び第二蓄電システム２０のハイブリッドパワコン２３と接続される点を除いて、センサ４１と同様に構成される。
【００３２】
増設センサ５１は、電力経路Ｌにおいて、第二接続点Ｐ２とセンサ４２との間に設けられる。また、増設センサ５１は、第二接続点Ｐ２の上流側（系統電源Ｋ側）に隣接するように（他の接続点等が介在しないように）設けられる。増設センサ５１は、設けられた箇所を流通する電力の電圧（供給電圧）及び電流（供給電流）を検出する。増設センサ５１は、第一蓄電システム１０のハイブリッドパワコン１３と接続され、検出結果に関する信号をハイブリッドパワコン１３へ出力可能に構成される。
【００３３】
ＥＭＳ６０は、電力供給システム１の動作を管理するエネルギーマネジメントシステム（Ｅｎｅｒｇｙ  Ｍａｎａｇｅｍｅｎｔ  Ｓｙｓｔｅｍ）である。ＥＭＳ６０は、ＲＡＭやＲＯＭ等の記憶部や、ＣＰＵ等の演算処理部、Ｉ／Ｏ等の入出力部等を具備する。ＥＭＳ６０は、所定の演算処理や記憶処理等を行うことができる。ＥＭＳ６０には、電力供給システム１の動作を制御する際に用いられる種々の情報やプログラム等が予め記憶される。
【００３４】
ＥＭＳ６０は、第一蓄電システム１０（より詳細には、ハイブリッドパワコン１３）及び第二蓄電システム２０（より詳細には、ハイブリッドパワコン２３）と電気的に接続される。ＥＭＳ６０は、所定の信号を第一蓄電システム１０及び第二蓄電システム２０に送信し、当該第一蓄電システム１０及び第二蓄電システム２０の運転（例えば、蓄電池１２及び蓄電池２２の充放電等）を制御することができる。また、ＥＭＳ６０は、第一蓄電システム１０及び第二蓄電システム２０の運転状況に関する信号を受信する。こうして、ＥＭＳ６０は、第一蓄電システム１０及び第二蓄電システム２０の運転状況に関する情報を取得することができる。
【００３５】
以下では、上述の如く構成された電力供給システム１において、蓄電池１２・２２及び負荷Ｈへ電力を供給する流れについて、簡単に説明する。
【００３６】
系統電源Ｋや太陽光発電部１１・２１からの電力は、電力経路Ｌを介して負荷Ｈへ供給される。こうして、住宅の居住者は、系統電源Ｋや、太陽光発電部１１・２１からの電力を用いて照明を点灯させたり、調理器具やエアコンを使用したりすることができる。
【００３７】
この場合において、負荷Ｈの消費電力が太陽光発電部１１・２１からの電力で賄える場合には、系統電源Ｋからの電力を用いないことも可能である。このようにして系統電源Ｋからの買電量を減少させ、電力料金を節約することができる。
【００３８】
また、系統電源Ｋや太陽光発電部１１・２１からの電力は、適宜の時間帯に蓄電池１２・２２に供給することができる。蓄電池１２・２２に供給された電力は、当該蓄電池１２・２２に充電することができる。蓄電池１２・２２が充電される時間帯は、居住者の任意に設定することができる。例えば、前記時間帯を深夜に設定すれば、料金の安い深夜電力を蓄電池１２・２２に充電することができる。また、前記時間帯を昼間の時間帯に設定すれば、太陽光発電部１１・２１からの電力を蓄電池１２・２２に充電することができる。
【００３９】
また、蓄電池１２・２２に充電された電力は、電力経路Ｌを介して負荷Ｈへ供給することができる。具体的には、蓄電池１２・２２を放電すると、当該放電された電力が電力経路Ｌを介して負荷Ｈに供給される。蓄電池１２・２２が放電される時間帯は、居住者の任意に設定することができる。例えば、前記時間帯を昼間の時間帯に設定すれば、蓄電池１２・２２に充電した料金の安い深夜電力を当該昼間の時間帯に用いることができる。こうして、昼間の時間帯に系統電源Ｋからの電力量（買電量）を減少させ、電力料金を節約することができる。
【００４０】
次に、電力供給システム１における電力の供給態様（モード）について説明する。
【００４１】
ＥＭＳ６０は、ハイブリッドパワコン１３・２３に運転モードを設定することができる。運転モードには、ＰＶ余剰充電モード１及びＰＶ余剰充電モード２が含まれる。
【００４２】
ＰＶ余剰充電モード１は、太陽光発電部１１・２１で発電した電力を負荷Ｈで消費することで宅内消費を行うことを目的としたモードである。ＰＶ余剰充電モード１が設定されたハイブリッドパワコン１３・２３はそれぞれ、センサ４１・４２の検出結果に基づいて負荷追従運転を行う。
【００４３】
太陽光発電部１１・２１の発電電力は、ハイブリッドパワコン１３・２３を介して電力経路Ｌへと出力され、負荷Ｈに供給される。太陽光発電部１１・２１の発電電力では負荷Ｈの消費電力を賄えない場合、ＰＶ余剰充電モード１に設定されたハイブリッドパワコン１３・２３は、センサ４１・４２の検出値に基づいて、不足分の電力を蓄電池１２・２２から放電させて、負荷Ｈに供給する。
【００４４】
一方、太陽光発電部１１・２１の発電電力で負荷Ｈの消費電力を賄える場合、ハイブリッドパワコン１３・２３は、余剰電力（負荷Ｈの消費電力に対して余剰する太陽光発電部１１・２１の発電電力）を蓄電池１２・２２に充電させる。蓄電池１２・２２を最大充電量（２０００Ｗ）で充電しても太陽光発電部１１・２１の発電電力が依然として余剰する場合には、当該電力は系統電源Ｋへと逆潮流される。
【００４５】
すなわち、センサ４１・４２によって逆潮流（下流側（負荷Ｈ側）から上流側（系統電源Ｋ側）へ流通する電力）を検出した場合とは、当該センサ４１・４２よりも下流側で電力経路Ｌに接続された蓄電システムにおいて電力が余剰していることを示している。
【００４６】
ＰＶ余剰充電モード２は、太陽光発電部１１・２１で発電した電力を負荷Ｈで消費することで宅内消費を行うことを目的としたモードであって、特に上流側（系統電源Ｋ側）の蓄電システム（特に太陽光発電部）の余剰電力を、下流側（負荷Ｈ側）に供給することを目的としたモードである。ＰＶ余剰充電モード２は、電力供給システム１において最も上流側のハイブリッドパワコンには設定されない。つまり、図１に示す電力供給システム１においては、ＰＶ余剰充電モード２は、ハイブリッドパワコン１３に設定されるが、ハイブリッドパワコン２３には設定されない。
【００４７】
ハイブリッドパワコン１３にＰＶ余剰充電モード２が設定された場合、ハイブリッドパワコン１３は、センサ４１ではなく、増設センサ５１の検出結果に基づいて負荷追従運転を行う。ＰＶ余剰充電モード２における負荷追従運転の動作は、ＰＶ余剰充電モード１における負荷追従運転の動作と同様である。
【００４８】
また、ＥＭＳ６０は、ハイブリッドパワコン１３にＰＶ余剰充電モード２を設定した場合、第一蓄電システム１０（の第一接続点Ｐ１）と増設センサ５１との間に位置する蓄電システム、すなわち第二蓄電システム２０の蓄電池２２を待機状態とする待機指示を行うように、ハイブリッドパワコン２３を制御する。ここで、「待機状態」とは、蓄電池が充放電できないようにされた状態のことをいう。ＥＭＳ６０は、ハイブリッドパワコン１３の運転モードをＰＶ余剰充電モード２からＰＶ余剰充電モード１に切り替えた場合、ハイブリッドパワコン２３を介して蓄電池２２の待機状態を解除する。
【００４９】
以下では、図２を参照して、ＥＭＳ６０によるハイブリッドパワコン１３への運転モード設定処理について説明する。なお、前述の如く、運転モードはハイブリッドパワコン１３・２３に設定されるものであるが、以下では説明の便宜上、対応する（ハイブリッドパワコン１３・２３が動作を制御する）蓄電池１２・２２に設定されるものとして説明することもある。
【００５０】
図２に示すように、ステップＳ１０において、ＥＭＳ６０は、電力供給システム１において売電が行われているか否かを判定する。ＥＭＳ６０は、電力供給システム１において最も上流側のセンサ、すなわちセンサ４２の検出結果に基づいて、この判定を行う。具体的には、ＥＭＳ６０は、センサ４２が系統電源Ｋへの逆潮流を検出した場合、電力供給システム１において売電が行われていると判定する。一方、ＥＭＳ６０は、センサ４２が系統電源Ｋへの逆潮流を検出していない場合、電力供給システム１において売電が行われていないと判定する。ＥＭＳ６０は、電力供給システム１において売電が行われていると判定した場合（ステップＳ１０で「ＹＥＳ」）、ステップＳ３０に移行する。一方、ＥＭＳ６０は、電力供給システム１において売電が行われていないと判定した場合（ステップＳ１０で「ＮＯ」）、ステップＳ２０に移行する。
【００５１】
ステップＳ２０において、ＥＭＳ６０は、購入電力＝０Ｗであるか否かを判定する。ここで、「購入電力」は、電力供給システム１が系統電源Ｋから購入（買電）した電力を示すものである。ＥＭＳ６０は、電力供給システム１において最も上流側のセンサ、すなわちセンサ４２の検出結果に基づいて、この判定を行う。具体的には、ＥＭＳ６０は、センサ４２が上流側から下流側へ向かう電力を検出しなかった場合、購入電力＝０Ｗであると判定する。一方、ＥＭＳ６０は、センサ４２が上流側から下流側へ向かう電力を検出した場合、購入電力＝０Ｗでないと判定する。ＥＭＳ６０は、購入電力＝０Ｗであると判定した場合（ステップＳ２０で「ＹＥＳ」）、ステップＳ３０に移行する。一方、ＥＭＳ６０は、購入電力＝０Ｗでないと判定した場合（ステップＳ２０で「ＮＯ」）、ステップＳ１１０に移行する。
【００５２】
ステップＳ３０において、ＥＭＳ６０は、残量ａ％以下の蓄電池があるか否かを判定する。ここで、「ａ％」は任意の値に設定することができ、例えば４０％に設定することができる。また、この判定において、電力供給システム１において最も上流側の蓄電池、すなわち蓄電池２２は対象から除外される。つまり、図１に示す電力供給システム１においては、ＥＭＳ６０は、蓄電池１２の残量がａ％以下であるか否かを判定することとなる。ＥＭＳ６０は、残量ａ％以下の蓄電池がある（蓄電池１２の残量がａ％以下である）と判定した場合（ステップＳ３０で「ＹＥＳ」）、ステップＳ４０に移行する。一方、ＥＭＳ６０は、残量ａ％以下の蓄電池がない（蓄電池１２の残量がａ％以下でない）と判定した場合（ステップＳ３０で「ＮＯ」）、ステップＳ８０に移行する。
【００５３】
ステップＳ４０において、ＥＭＳ６０は、該当蓄電池（ステップＳ３０で残量ａ％以下と判定された蓄電池）がＰＶ余剰充電モード２であるか否かを判定する。図１に示す電力供給システム１においては、ＥＭＳ６０は、（残量がａ％以下の）蓄電池１２がＰＶ余剰充電モード２であるか否かを判定することとなる。ＥＭＳ６０は、該当蓄電池がＰＶ余剰充電モード２であると判定した場合（ステップＳ４０で「ＹＥＳ」）、運転モードの設定処理を終了する。一方、ＥＭＳ６０は、該当蓄電池がＰＶ余剰充電モード２でないと判定した場合（ステップＳ４０で「ＮＯ」）、ステップＳ５０に移行する。
【００５４】
ステップＳ５０において、ＥＭＳ６０は、ＰＶ余剰充電モード２及びそれに伴う待機指示による影響を試算する。図１に示す電力供給システム１においては、ＥＭＳ６０は、蓄電池１２をＰＶ余剰充電モード２に設定した場合、かつ、それに伴って蓄電池２２を待機状態とした場合の影響を試算することとなる。ＥＭＳ６０は、例えば、購入電力は発生しないか、ＰＶ自己消費率（太陽光発電部１１・２１の発電電力を電力供給システム１内で使用する割合）が低下しないか、ＰＶ自己消費率が低下した場合、電気料金収支は向上するか等を試算する。ＥＭＳ６０は、当該ステップＳ５０の処理を行った後、ステップＳ６０に移行する。
【００５５】
ステップＳ６０において、ＥＭＳ６０は、該当蓄電池（ステップＳ３０で残量ａ％以下と判定された蓄電池）をＰＶ余剰充電モード２に設定するか否かを判定する。図１に示す電力供給システム１においては、ＥＭＳ６０は、（残量がａ％以下の）蓄電池１２をＰＶ余剰充電モード２に設定するか否かを判定することとなる。ＥＭＳ６０は、ステップＳ５０における試算の結果に基づいて、この判定を行う。ＥＭＳ６０は、該当蓄電池をＰＶ余剰充電モード２に設定すると判定した場合（ステップＳ６０で「ＹＥＳ」）、ステップＳ７０に移行する。一方、ＥＭＳ６０は、該当蓄電池をＰＶ余剰充電モード２に設定しないと判定した場合（ステップＳ６０で「ＮＯ」）、運転モードの設定処理を終了する。
【００５６】
なお、ＥＭＳ６０が該当蓄電池（ステップＳ３０で残量ａ％以下と判定された蓄電池）をＰＶ余剰充電モード２に設定しないと判定する場合としては、例えば、ステップＳ５０において購入電力が発生すると試算した場合や、ＰＶ自己消費率が低下し、かつ、電気料金収支が向上しないと試算した場合等が挙げられる。
【００５７】
また、ＥＭＳ６０は、ステップＳ５０及びステップＳ６０の処理を、例えば１分間の間に複数回（５回以上）行い、ステップＳ６０において該当蓄電池をＰＶ余剰充電モード２に設定してもよいと５回判定した場合に、ステップＳ７０に移行するようにしてもよい。これにより、電力の一瞬の（突発的な）変動によってＰＶ余剰充電モード２が設定されてしまうのを防ぐことができる。
【００５８】
ステップＳ７０において、ＥＭＳ６０は、該当蓄電池をＰＶ余剰充電モード２に設定する。図１の電力供給システム１においては、ＥＭＳ６０は、（残量がａ％以下の）蓄電池１２をＰＶ余剰充電モード２に設定することとなる。ＥＭＳ６０は、当該ステップＳ７０の処理を行った後、運転モードの設定処理を終了する。
【００５９】
このようにして、充電する余地のある蓄電池（残量ａ％以下の蓄電池）が存在するにもかかわらず、売電が行われている（又は売電は行われていないが、買電も行われていない）場合に、残量が少ない蓄電池（の動作を制御するハイブリッドパワコン）をＰＶ余剰充電モード２に設定することができる。
【００６０】
ステップＳ８０において、ＥＭＳ６０は、ＰＶ余剰充電モード２の蓄電池があるか否かを判定する。図１の電力供給システム１においては、最も上流側の蓄電池２２にはＰＶ余剰充電モード２は設定されないため、ＥＭＳ６０は、蓄電池１２がＰＶ余剰充電モード２であるかを判定することとなる。ＥＭＳ６０は、ＰＶ余剰充電モード２の蓄電池がある（蓄電池１２がＰＶ余剰充電モード２である）と判定した場合（ステップＳ８０で「ＹＥＳ」）、ステップＳ９０に移行する。一方、ＥＭＳ６０は、ＰＶ余剰充電モード２の蓄電池がない（蓄電池１２がＰＶ余剰充電モード２でない）と判定した場合（ステップＳ８０で「ＮＯ」）、運転モードの設定処理を終了する。
【００６１】
ステップＳ９０において、ＥＭＳ６０は、該当蓄電池（ステップＳ８０でＰＶ余剰充電モード２であると判定された蓄電池）は残量ｂ％以上であるか否かを判定する。図１に示す電力供給システム１においては、ＥＭＳ６０は、（ＰＶ余剰充電モード２に設定された）蓄電池１２は残量ｂ％以上であるか否かを判定することとなる。ここで、「ｂ％」は任意の値に設定することができ、例えば８０％に設定することができる。ＥＭＳ６０は、該当蓄電池は残量ｂ％以上であると判定した場合（ステップＳ９０で「ＹＥＳ」）、ステップＳ１００に移行する。一方、ＥＭＳ６０は、該当蓄電池は残量ｂ％以上でないと判定した場合（ステップＳ９０で「ＮＯ」）、運転モードの設定処理を終了する。
【００６２】
ステップＳ１００において、ＥＭＳ６０は、該当蓄電池（ステップＳ８０でＰＶ余剰充電モード２であると判定された蓄電池）をＰＶ余剰充電モード１に戻す。図１に示す電力供給システム１においては、ＥＭＳ６０は、蓄電池１２をＰＶ余剰充電モード１に戻すこととなる。ＥＭＳ６０は、当該ステップＳ１００の処理を行った後、運転モードの設定処理を終了する。
【００６３】
このようにして、ＰＶ余剰充電モード２に設定されているにもかかわらず、充電する余地のない（少ない）蓄電池が存在する場合、その蓄電池（図１に示す電力供給システム１においては蓄電池１２）をＰＶ余剰充電モード１に戻すことができる。これにより、蓄電池２２の待機指示も解除されるため、待機状態の蓄電池２２に充電の余地があるにもかかわらず、買電が行われてしまうのを防ぐことができる。
【００６４】
ステップＳ１１０において、ＥＭＳ６０は、ＰＶ余剰充電モード２の蓄電池があるか否かを判定する。図１の電力供給システム１においては、最も上流側のハイブリッドパワコン２３にはＰＶ余剰充電モード２は設定されないため、ＥＭＳ６０は、蓄電池１２がＰＶ余剰充電モード２であるかを判定することとなる。ＥＭＳ６０は、ＰＶ余剰充電モード２の蓄電池がある（蓄電池１２がＰＶ余剰充電モード２である）と判定した場合（ステップＳ１１０で「ＹＥＳ」）、ステップＳ１２０に移行する。一方、ＥＭＳ６０は、ＰＶ余剰充電モード２の蓄電池がない（蓄電池１２がＰＶ余剰充電モード２でない）と判定した場合（ステップＳ１１０で「ＮＯ」）、運転モードの設定処理を終了する。
【００６５】
ステップＳ１２０において、ＥＭＳ６０は、該当蓄電池（ステップＳ１１０でＰＶ余剰充電モード２であると判定された蓄電池）をＰＶ余剰充電モード１に戻す。図１に示す電力供給システム１においては、ＥＭＳ６０は、蓄電池１２をＰＶ余剰充電モード１に戻すこととなる。ＥＭＳ６０は、当該ステップＳ１２０の処理を行った後、運転モードの設定処理を終了する。
【００６６】
このようにして、電力供給システム１において買電が行われている場合、ＰＶ余剰充電モード２に設定された蓄電池（図１に示す電力供給システム１においては蓄電池１２）をＰＶ余剰充電モード１に戻すことができる。これにより、蓄電池２２の待機指示も解除されるため、待機状態であった蓄電池２２から電力を放電して負荷Ｈに供給することが可能となる。したがって、買電量の低減を図ることができる。
【００６７】
以上の如く、図２に示す運転モード設定処理において、最も上流側のハイブリッドパワコンを除くハイブリッドパワコン（図１に示す電力供給システム１においてはハイブリッドパワコン１３）の運転モードを切り替えることができる。
【００６８】
次に、図３から図１４を用いて、電力供給システム１における電力の供給態様の例について説明する。
【００６９】
まず、図３に示す第一状態の電力供給システム１における電力の供給態様の例について説明する。図３に示す第一状態においては、ハイブリッドパワコン１３・２３はともに、ＰＶ余剰充電モード１に設定されているとする。そして、図３に示す第一状態においては、負荷Ｈの消費電力が１５００Ｗであり、太陽光発電部１１の発電電力が１２００Ｗ、太陽光発電部２１の発電電力が１１００Ｗであるとする。また、前述の如く蓄電池１２・２２の最大充電量及び最大放電量はともにそれぞれ２０００Ｗであり、蓄電池１２の残量（最大容量に対する蓄電量）は４０％、蓄電池２２の残量は１００％（満充電）であるとする。
【００７０】
図３に示す第一状態において、太陽光発電部１１の発電電力（１２００Ｗ）は、負荷Ｈに供給される。このとき、センサ４１は、負荷Ｈの消費電力（１５００Ｗ）に対して不足する分の電力（３００Ｗ）を検出する。ハイブリッドパワコン１３は、センサ４１の検出結果に基づいて、蓄電池１２から電力（３００Ｗ）を放電し、当該電力を負荷Ｈに供給する。このようにして、第一蓄電システム１０によって負荷Ｈの消費電力（１５００Ｗ）が賄われる。
【００７１】
第一蓄電システム１０によって負荷Ｈの消費電力（１５００Ｗ）が賄われるため、第二蓄電システム２０からの電力は負荷Ｈに供給されない。蓄電池２２が満充電である場合、太陽光発電部２１の発電電力（１１００Ｗ）は、蓄電池２２に充電できないため、ハイブリッドパワコン２３から電力経路Ｌへと出力される。当該出力された電力は、負荷Ｈの消費電力に対して余剰するものであるため、系統電源Ｋへと逆潮流される。
【００７２】
図３に示す第一状態において、太陽光発電部２１からの電力（１１００Ｗ）が売電されており、かつ、蓄電池１２の残量は４０％である。よって、ＥＭＳ６０は、図２に示す運転モード設定処理を行うことにより、ハイブリッドパワコン１３をＰＶ余剰充電モード２に設定すると共に、増設センサ５１と第一蓄電システム１０との間にある蓄電システム、すなわち第二蓄電システム２０の蓄電池２２を待機状態とする。ＰＶ余剰充電モード２に設定されたハイブリッドパワコン１３は、センサ４１ではなく、増設センサ５１の検出結果に基づいて負荷追従運転を行うこととなる。図３に示す第一状態においては、増設センサ５１は、逆潮流する電力（１１００Ｗ）を検出している。
【００７３】
そうすると、ハイブリッドパワコン１３は、増設センサ５１の検出結果に基づいて、負荷Ｈの消費電力は他の蓄電システムによって十分賄われていると判断（錯覚）し、蓄電池１２の充放電を制御することで第一蓄電システム１０から負荷Ｈへの電力の供給を抑制させる。具体的には、ハイブリッドパワコン１３は、蓄電池１２の放電量を減少させること、さらには太陽光発電部１１からの電力を蓄電池１２に充電させることにより、第一蓄電システム１０から負荷Ｈへの電力の供給を抑制させる。
【００７４】
第一蓄電システム１０から負荷Ｈへの電力の供給が抑制されることにより、抑制した分の電力が第二蓄電システム２０から負荷Ｈに供給される。ハイブリッドパワコン１３は、増設センサ５１が逆潮流を検知しなくなるまで（つまり、第二蓄電システム２０から逆潮流されていた電力の全てが負荷Ｈに供給されるようになるまで）、第一蓄電システム１０から負荷Ｈへ供給する電力の抑制量を増加させる。図４に示すように、ハイブリッドパワコン１３が、蓄電池１２の放電（３００Ｗ）を停止させ、さらに太陽光発電部１１からの電力（１２００Ｗ）の一部の電力（８００Ｗ）を蓄電池１２の充電に充てた時点で、第二蓄電システム２０（太陽光発電部２１）から系統電源Ｋへと逆潮流されていた電力（１１００Ｗ）の全てが、負荷Ｈに供給される。
【００７５】
その結果、図４に示すように、太陽光発電部２１の発電電力（１１００Ｗ）が負荷Ｈに供給されると共に、太陽光発電部１１の発電電力（１２００Ｗ）の一部の電力（４００Ｗ）が負荷Ｈに供給され、残りの電力（８００Ｗ）が蓄電池１２に充電される。
【００７６】
このように、第一状態において、ハイブリッドパワコン１３をＰＶ余剰充電モード２に設定することにより、第二蓄電システム２０から系統電源Ｋへと逆潮流させていた電力を、負荷Ｈの消費電力に用いることができる。よって、ＰＶ自己消費率を向上させることができる。さらに、蓄電池１２を、放電状態から充電状態とすることができる。
【００７７】
次に、図５に示す第二状態の電力供給システム１における電力の供給態様の例について説明する。図５に示す第二状態が図３に示す第一状態と異なる点は、太陽光発電部２１の発電電力が１１００Ｗから３１００Ｗに変更されている点であり、その他の条件は同じである。
【００７８】
図５に示す第二状態においては、太陽光発電部１１の発電電力（１２００Ｗ）が負荷Ｈに供給されると共に、蓄電池１２から電力（３００Ｗ）が放電されて負荷Ｈに供給される。そして、太陽光発電部２１の発電電力（３１００Ｗ）は、系統電源Ｋへと逆潮流される。
【００７９】
図５に示す第二状態において、太陽光発電部２１からの電力（３１００Ｗ）が売電されており、かつ、蓄電池１２の残量は４０％である。よって、ＥＭＳ６０は、図２に示す運転モード設定処理を行うことにより、ハイブリッドパワコン１３をＰＶ余剰充電モード２に設定すると共に、第二蓄電システム２０の蓄電池２２を待機状態とする。ＰＶ余剰充電モード２に設定されたハイブリッドパワコン１３は、増設センサ５１の検出結果に基づいて負荷追従運転を行うこととなる。図５に示す第二状態においては、増設センサ５１は、逆潮流する電力（３１００Ｗ）を検出している。
【００８０】
そうすると、ハイブリッドパワコン１３は、増設センサ５１の検出結果に基づいて、蓄電池１２の充放電を制御することで第一蓄電システム１０から負荷Ｈへの電力の供給を抑制させる。
【００８１】
図６に示すように、ハイブリッドパワコン１３が、蓄電池１２の放電（３００Ｗ）を停止させ、さらに太陽光発電部１１からの電力（１２００Ｗ）の全てを蓄電池１２の充電に充てた時点で、第二蓄電システム２０（太陽光発電部２１）から系統電源Ｋへと逆潮流されていた電力（３１００Ｗ）の一部の電力（１５００Ｗ）が、負荷Ｈの消費電力を賄うために当該負荷Ｈに供給される。
【００８２】
その結果、図６に示すように、太陽光発電部２１の発電電力（３１００Ｗ）のうち、負荷Ｈの消費電力を賄うための電力（１５００Ｗ）が当該負荷Ｈに供給され、残りの電力（１６００Ｗ）が系統電源Ｋへと逆潮流される。また、太陽光発電部１１からの電力（１２００Ｗ）の全てが蓄電池１２に充電される。
【００８３】
このように、第二状態において、ハイブリッドパワコン１３をＰＶ余剰充電モード２に設定することにより、第二蓄電システム２０から系統電源Ｋへと逆潮流させていた電力を、負荷Ｈの消費電力に用いることができる。よって、ＰＶ自己消費率を向上させることができる。さらに、蓄電池１２を、放電状態から充電状態とすることができる。
【００８４】
次に、図７に示す第三状態の電力供給システム１における電力の供給態様の例について説明する。図７に示す第三状態が図３に示す第一状態と異なる点は、負荷Ｈの消費電力が１５００Ｗから２５００Ｗに変更されている点であり、その他の条件は同じである。
【００８５】
図７に示す第三状態においては、太陽光発電部１１の発電電力（１２００Ｗ）が負荷Ｈに供給されると共に、蓄電池１２から電力（１３００Ｗ）が放電されて負荷Ｈに供給される。そして、太陽光発電部２１の発電電力（１１００Ｗ）は、系統電源Ｋへと逆潮流される。
【００８６】
図７に示す第三状態において、太陽光発電部２１からの電力（１１００Ｗ）が売電されており、かつ、蓄電池１２の残量は４０％である。よって、ＥＭＳ６０は、図２に示す運転モード設定処理を行うことにより、ハイブリッドパワコン１３をＰＶ余剰充電モード２に設定すると共に、第二蓄電システム２０の蓄電池２２を待機状態とする。ＰＶ余剰充電モード２に設定されたハイブリッドパワコン１３は、増設センサ５１の検出結果に基づいて負荷追従運転を行うこととなる。図７に示す第三状態においては、増設センサ５１は、逆潮流する電力（１１００Ｗ）を検出している。
【００８７】
そうすると、ハイブリッドパワコン１３は、増設センサ５１の検出結果に基づいて、蓄電池１２の充放電を制御することで第一蓄電システム１０から負荷Ｈへの電力の供給を抑制させる。
【００８８】
図８に示すように、ハイブリッドパワコン１３が、蓄電池１２の放電量を１３００Ｗから２００Ｗまで減少させた時点で、第二蓄電システム２０（太陽光発電部２１）から系統電源Ｋへと逆潮流されていた電力（１１００Ｗ）の全てが、負荷Ｈに供給される。
【００８９】
その結果、図８に示すように、太陽光発電部２１の発電電力（１１００Ｗ）が負荷Ｈに供給されると共に、太陽光発電部１１の発電電力（１２００Ｗ）が負荷Ｈに供給され、蓄電池１２から電力（２００Ｗ）が放電されて負荷Ｈに供給される。
【００９０】
このように、第三状態において、ハイブリッドパワコン１３をＰＶ余剰充電モード２に設定することにより、第二蓄電システム２０から系統電源Ｋへと逆潮流させていた電力を、負荷Ｈの消費電力に用いることができる。よって、ＰＶ自己消費率を向上させることができる。さらに、蓄電池１２の放電量を減少させることができる。
【００９１】
次に、図９に示す第四状態の電力供給システム１における電力の供給態様の例について説明する。図９に示す第四状態が図３に示す第一状態と異なる点は、負荷Ｈの消費電力が１５００Ｗから３５００Ｗに変更されている点であり、その他の条件は同じである。
【００９２】
図９に示す第四状態においては、太陽光発電部１１の発電電力（１２００Ｗ）が負荷Ｈに供給されると共に、蓄電池１２から最大放電量（２０００Ｗ）で放電された電力が負荷Ｈに供給される。そして、太陽光発電部２１の発電電力（１１００Ｗ）の一部の電力（３００Ｗ）は負荷Ｈに供給され、残りの電力（８００Ｗ）は系統電源Ｋへと逆潮流される。
【００９３】
図９に示す第四状態において、太陽光発電部２１からの電力（８００Ｗ）が売電されており、かつ、蓄電池１２の残量は４０％である。よって、ＥＭＳ６０は、図２に示す運転モード設定処理を行うことにより、ハイブリッドパワコン１３をＰＶ余剰充電モード２に設定すると共に、第二蓄電システム２０の蓄電池２２を待機状態とする。ＰＶ余剰充電モード２に設定されたハイブリッドパワコン１３は、増設センサ５１の検出結果に基づいて負荷追従運転を行うこととなる。図９に示す第四状態においては、増設センサ５１は、逆潮流する電力（８００Ｗ）を検出している。
【００９４】
そうすると、ハイブリッドパワコン１３は、増設センサ５１の検出結果に基づいて、蓄電池１２の充放電を制御することで第一蓄電システム１０から負荷Ｈへの電力の供給を抑制させる。
【００９５】
図１０に示すように、ハイブリッドパワコン１３が、蓄電池１２の放電量を２０００Ｗから１２００Ｗまで減少させた時点で、第二蓄電システム２０（太陽光発電部２１）から系統電源Ｋへと逆潮流されていた電力（８００Ｗ）の全てが、負荷Ｈに供給される。
【００９６】
その結果、図１０に示すように、太陽光発電部２１の発電電力（１１００Ｗ）が負荷Ｈに供給されると共に、太陽光発電部１１の発電電力（１２００Ｗ）が負荷Ｈに供給され、蓄電池１２から電力（１２００Ｗ）が放電されて負荷Ｈに供給される。
【００９７】
このように、第四状態において、ハイブリッドパワコン１３をＰＶ余剰充電モード２に設定することにより、第二蓄電システム２０から系統電源Ｋへと逆潮流させていた電力を、負荷Ｈの消費電力に用いることができる。よって、ＰＶ自己消費率を向上させることができる。さらに、蓄電池１２の放電量を減少させることができる。
【００９８】
次に、図１１に示す第五状態の電力供給システム１における電力の供給態様の例について説明する。図１１に示す第五状態が図３に示す第一状態と異なる点は、蓄電池２２の残量（蓄電量）が１００％（満充電）から９０％に変更されている点であり、その他の条件は同じである。
【００９９】
図１１に示す第五状態においては、太陽光発電部１１の発電電力（１２００Ｗ）が負荷Ｈに供給されると共に、蓄電池１２から電力（３００Ｗ）が放電されて負荷Ｈに供給される。そして、蓄電池２２は満充電でない（つまり、充電の余地がある）ので、太陽光発電部２１の発電電力（１１００Ｗ）は、蓄電池２２に充電される。
【０１００】
図１１に示す第五状態において、買電が行われておらず、かつ、蓄電池１２の残量は４０％である。よって、ＥＭＳ６０は、図２に示す運転モード設定処理を行うことにより、ハイブリッドパワコン１３をＰＶ余剰充電モード２に設定すると共に、第二蓄電システム２０の蓄電池２２を待機状態とする。ＰＶ余剰充電モード２に設定されたハイブリッドパワコン１３は、増設センサ５１の検出結果に基づいて負荷追従運転を行うこととなる。
【０１０１】
ここで、蓄電池２２は待機状態であるので、太陽光発電部２１の発電電力（１１００Ｗ）は、蓄電池２２に充電されずに、電力経路Ｌへと出力される。負荷Ｈの消費電力は第一蓄電システム１０によって賄われているので、太陽光発電部２１から電力経路Ｌへと出力された電力は、系統電源Ｋへと逆潮流される。このとき、増設センサ５１は、逆潮流する電力（１１００Ｗ）を検出している。
【０１０２】
そうすると、ハイブリッドパワコン１３は、増設センサ５１の検出結果に基づいて、蓄電池１２の充放電を制御することで第一蓄電システム１０から負荷Ｈへの電力の供給を抑制させる。
【０１０３】
図１２に示すように、ハイブリッドパワコン１３が、蓄電池１２の放電（３００Ｗ）を停止させ、さらに太陽光発電部１１からの電力（１２００Ｗ）の一部の電力（８００Ｗ）を蓄電池１２の充電に充てた時点で、第二蓄電システム２０（太陽光発電部２１）から系統電源Ｋへと逆潮流されていた電力（１１００Ｗ）の全てが、負荷Ｈに供給される。
【０１０４】
その結果、図１２に示すように、太陽光発電部２１の発電電力（１１００Ｗ）が負荷Ｈに供給されると共に、太陽光発電部１１の発電電力（１２００Ｗ）の一部の電力（４００Ｗ）が負荷Ｈに供給され、残りの電力（８００Ｗ）が蓄電池１２に充電される。
【０１０５】
このように、第五状態において、ハイブリッドパワコン１３をＰＶ余剰充電モード２に設定することにより、第二蓄電システム２０の太陽光発電部２１から蓄電池２２に充電させていた電力を、負荷Ｈの消費電力に用いることができる。このため、太陽光発電部１１から負荷Ｈへと供給していた電力の一部を、蓄電池１２の充電に充てることができる。これにより、蓄電池１２を、放電状態から充電状態とすることができる。
【０１０６】
次に、図１３に示す第六状態の電力供給システム１における電力の供給態様の例について説明する。図１３に示す第六状態が図１１に示す第五状態と異なる点は、太陽光発電部２１の発電電力が１１００Ｗから３１００Ｗに変更されている点であり、その他の条件は同じである。
【０１０７】
図１３に示す第六状態においては、太陽光発電部１１の発電電力（１２００Ｗ）が負荷Ｈに供給されると共に、蓄電池１２から電力（３００Ｗ）が放電されて負荷Ｈに供給される。そして、蓄電池２２は満充電でない（つまり、充電の余地がある）ので、太陽光発電部２１の発電電力の一部が最大充電量（２０００Ｗ）で蓄電池２２に充電され、残りの電力（１１００Ｗ）が系統電源Ｋへと逆潮流される。
【０１０８】
図１３に示す第六状態において、太陽光発電部２１からの電力（１１００Ｗ）が売電されており、かつ、蓄電池１２の残量は４０％である。よって、ＥＭＳ６０は、図２に示す運転モード設定処理を行うことにより、ハイブリッドパワコン１３をＰＶ余剰充電モード２に設定すると共に、第二蓄電システム２０の蓄電池２２を待機状態とする。ＰＶ余剰充電モード２に設定されたハイブリッドパワコン１３は、増設センサ５１の検出結果に基づいて負荷追従運転を行うこととなる。
【０１０９】
ここで、蓄電池２２は待機状態であるので、太陽光発電部２１の発電電力（３１００Ｗ）は、蓄電池２２に充電されずに、電力経路Ｌへと出力される。負荷Ｈの消費電力は第一蓄電システム１０によって賄われているので、太陽光発電部２１から電力経路Ｌへと出力された電力は、系統電源Ｋへと逆潮流される。このとき、増設センサ５１は、逆潮流する電力（３１００Ｗ）を検出している。
【０１１０】
そうすると、ハイブリッドパワコン１３は、増設センサ５１の検出結果に基づいて、蓄電池１２の充放電を制御することで第一蓄電システム１０から負荷Ｈへの電力の供給を抑制させる。
【０１１１】
図１４に示すように、ハイブリッドパワコン１３が、蓄電池１２の放電（３００Ｗ）を停止させ、さらに太陽光発電部１１からの電力（１２００Ｗ）の全てを蓄電池１２の充電に充てた時点で、第二蓄電システム２０（太陽光発電部２１）から系統電源Ｋへと逆潮流されていた電力（３１００Ｗ）の一部の電力（１５００Ｗ）が、負荷Ｈの消費電力を賄うために当該負荷Ｈに供給される。
【０１１２】
その結果、図１４に示すように、太陽光発電部２１の発電電力（３１００Ｗ）のうち、負荷Ｈの消費電力を賄うための電力（１５００Ｗ）が当該負荷Ｈに供給され、残りの電力（１６００Ｗ）が系統電源Ｋへと逆潮流される。また、太陽光発電部１１からの電力（１２００Ｗ）の全てが蓄電池１２に充電される。
【０１１３】
このように、ハイブリッドパワコン１３をＰＶ余剰充電モード２に設定することにより、第二蓄電システム２０の太陽光発電部２１から蓄電池２２に充電させていた電力を、負荷Ｈの消費電力に用いることができる。このため、太陽光発電部１１から負荷Ｈへと供給していた電力の一部を、蓄電池１２の充電に充てることができる。これにより、蓄電池１２を、放電状態から充電状態とすることができる。
【０１１４】
以上の如く、本実施形態に係る電力供給システム１は、電力を負荷Ｈに供給する蓄電システム（電力供給部）が、系統電源Ｋと前記負荷Ｈとを接続する電力経路Ｌ（電路）に複数接続された電力供給システム１であって、前記蓄電システムは、発電可能な太陽光発電部１１・２１（発電部）と、前記太陽光発電部１１・２１によって発電された電力を充電可能であると共に当該電力を前記負荷Ｈへと供給可能な蓄電池１２・２２と、前記蓄電池１２・２２の動作を制御するハイブリッドパワコン１３・２３（パワーコンディショナ）と、を具備し、前記蓄電システムには、第一蓄電システム１０（下流側電力供給部）、及び前記第一蓄電システム１０よりも前記系統電源Ｋ側に位置する第二蓄電システム２０（上流側電力供給部）が含まれ、前記電力供給システム１は、前記電力経路Ｌに設けられて前記電力経路Ｌの当該設けられた箇所を流通する電力を検出する検出部を具備し、前記検出部は、前記電力経路Ｌにおいて前記第二蓄電システム２０の前記系統電源Ｋ側に隣接するように設けられて、前記第一蓄電システム１０の前記ハイブリッドパワコン１３に検出結果を出力可能な増設センサ５１（上流側検出部）を具備し、前記第一蓄電システム１０の前記ハイブリッドパワコン１３は、前記増設センサ５１の検出結果に基づいて前記蓄電池１２の動作を制御するＰＶ余剰充電モード２（第一モード）を実行可能に構成され、前記ＰＶ余剰充電モード２において、前記増設センサ５１が逆潮流される電力を検出した場合、当該逆潮流される電力を、前記負荷Ｈへと供給するものである。
このように構成することにより、太陽光発電部１１・２１で発電された電力を有効に活用することができる。
【０１１５】
また、前記検出部は、前記電力経路Ｌにおいて前記第一蓄電システム１０の前記系統電源Ｋ側に隣接するように設けられて、前記第一蓄電システム１０の前記ハイブリッドパワコン１３に検出結果を出力可能なセンサ４１（下流側検出部）を具備し、前記第一蓄電システム１０の前記ハイブリッドパワコン１３は、前記センサ４１の検出結果に基づいて前記蓄電池１２の動作を制御するＰＶ余剰充電モード１（第二モード）を実行可能に構成され、前記電力供給システム１は、前記第一蓄電システム１０及び第二蓄電システム２０それぞれの前記ハイブリッドパワコン１３・２３を制御すると共に、前記第一蓄電システム１０の前記ハイブリッドパワコン１３に、前記ＰＶ余剰充電モード２及び前記ＰＶ余剰充電モード１を設定可能なＥＭＳ６０（制御部）を具備するものである。
このように構成することにより、蓄電池１２の動作を適宜変更することができる。
【０１１６】
また、前記ＥＭＳ６０は、前記電力供給システム１において、前記系統電源Ｋへの逆潮流が発生しており、かつ、残量が所定値以下の前記蓄電池１２が存在する場合、当該蓄電池１２の動作を制御する前記ハイブリッドパワコン１３を前記ＰＶ余剰充電モード２に設定するものである。
このように構成することにより、残量が所定値以下の蓄電池１２の残量が減るのを抑制することができる。具体的には、残量が所定値以下の蓄電池１２を放電状態から充電状態とすること、又は放電量を減らすことができる。
【０１１７】
また、前記ＥＭＳ６０は、前記第一蓄電システム１０の前記ハイブリッドパワコン１３を前記ＰＶ余剰充電モード２に設定した場合、当該第一蓄電システム１０と前記センサ４２との間に位置する前記第二蓄電システム２０の前記蓄電池２２を充電不可とするように、当該第二蓄電システム２０の前記ハイブリッドパワコン２３を制御するものである。
このように構成することにより、系統電源Ｋへと逆潮流される電力を、第一蓄電システム１０又は第一蓄電システム１０よりも下流側に供給し易くすることができる。
【０１１８】
また、前記ＥＭＳ６０は、前記電力供給システム１において、前記系統電源Ｋからの買電が発生しており、かつ、前記ＰＶ余剰充電モード２に設定された前記ハイブリッドパワコン１３が存在する場合、当該ＰＶ余剰充電モード２に設定された前記ハイブリッドパワコン１３を前記ＰＶ余剰充電モード１に切り替えると共に、充電不可とした前記蓄電池２２を充電可能とするように、当該蓄電池２２の動作を制御する前記ハイブリッドパワコン２３を制御するものである。
このように構成することにより、前記系統電源Ｋからの買電量を低減させることができる。
【０１１９】
なお、本実施形態に係る第一蓄電システム１０及び第二蓄電システム２０は、電力供給部の実施の一形態である。
また、本実施形態に係る太陽光発電部１１・２１は、発電部の実施の一形態である。
また、本実施形態に係るハイブリッドパワコン１３・２３は、パワーコンディショナの実施の一形態である。
また、本実施形態に係るセンサ４１は、下流側検出部の実施の一形態である。
また、本実施形態に係る増設センサ５１は、上流側検出部の実施の一形態である。
また、本実施形態に係るＥＭＳ６０は、制御部の実施の一形態である。
【０１２０】
以上、本発明の第一実施形態を説明したが、本発明は上記構成に限定されるものではなく、特許請求の範囲に記載された発明の範囲内で種々の変更が可能である。
【０１２１】
例えば、電力供給システム１は、集合住宅に設けられるものとしたが、これに限定されるものではなく、例えば、オフィス等に設けられるものであってもよい。
【０１２２】
また、第一蓄電システム１０及び第二蓄電システム２０は、所定の燃料を用いて発電する発電装置（例えば、燃料電池）等を具備する構成であってもよい。
【０１２３】
また、発電部は、太陽光を利用して発電する太陽光発電部１１・２１であるものとしたが、燃料電池であってもよく、また他の自然エネルギー（例えば、水力や風力）を利用して発電するものであってもよい。
【０１２４】
また、本実施形態に係る電力供給システム１においては、ハイブリッドパワコン１３は、ＰＶ余剰充電モード２において増設センサ５１の検出結果を用いるものとしたが、増設センサ５１を設けずにセンサ４２の検出結果を用いるものとしてもよい。
【０１２５】
また、本実施形態において蓄電システムの台数は、２台であるものとしたが、２台以上の任意の台数とすることができる。以下では、図１５を用いて、蓄電システムの台数が３台である、本発明の第二実施形態に係る電力供給システム２について説明する。
【０１２６】
第二実施形態に係る電力供給システム２が、第一実施形態に係る電力供給システム１と異なる主な点は、さらに第三蓄電システム３０、センサ４３及び増設センサ５２を具備する点である。よって以下では、第二実施形態に係る電力供給システム２のうち第一実施形態に係る電力供給システム１と同一の構成については、同一の符号を付して説明を省略する。
【０１２７】
第三蓄電システム３０は、第二蓄電システム２０よりも電力経路Ｌの上流側の第三接続点Ｐ３にハイブリッドパワコン３３が接続される点を除いて、第一蓄電システム１０と同様に構成される。具体的には、第三蓄電システム３０の太陽光発電部３１、蓄電池３２及びハイブリッドパワコン３３は、それぞれ第一蓄電システム１０の太陽光発電部１１、蓄電池１２及びハイブリッドパワコン１３に相当する。
【０１２８】
センサ４３は、電力経路Ｌにおいて、第三接続点Ｐ３と系統電源Ｋとの間に設けられる点、及び第三蓄電システム３０のハイブリッドパワコン３３と接続される点を除いて、センサ４１と同様に構成される。
【０１２９】
増設センサ５２は、電力経路Ｌにおいて、第三接続点Ｐ３とセンサ４３との間に設けられる点、及び第二蓄電システム２０のハイブリッドパワコン２３と接続される点を除いて、増設センサ５１と同様に構成される。
【０１３０】
第一実施形態に係る電力供給システム１と同様に、第二実施形態に係る電力供給システム２において、ＰＶ余剰充電モード２は、最も上流側のハイブリッドパワコンには設定されない。つまり、図１５に示す電力供給システム２においては、ＰＶ余剰充電モード２は、ハイブリッドパワコン１３・２３に設定されるが、ハイブリッドパワコン３３には設定されない。
【０１３１】
このように構成された第二実施形態に係る電力供給システム２において、ハイブリッドパワコン１３・２３は、ＰＶ余剰充電モード１において、センサ４１・４２の検出結果に基づいて負荷追従運転を行う。また、ハイブリッドパワコン１３・２３は、ＰＶ余剰充電モード２において、増設センサ５１・５２の検出結果に基づいて負荷追従運転を行う。
【０１３２】
また、図２に示す運転モード設定処理を行う場合、ＥＭＳ６０は、ステップＳ３０において、蓄電池１２・２２のうち、残量がａ％以下の蓄電池が複数存在すると判定した場合、ステップＳ４０において、残量ａ％以下の該当蓄電池１２・２２のうち、最も残量の少ない蓄電池がＰＶ余剰充電モード２であるか否かを判定し、ステップＳ７０において、最も残量の少ない蓄電池をＰＶ余剰充電モード２に設定する。
【０１３３】
以上の如く、第二実施形態に係る電力供給システム２において、前記ＥＭＳ６０は、残量が所定値以下の前記蓄電池１２・２２が複数存在する場合、最も残量の少ない前記蓄電池１２・２２の動作を制御する前記ハイブリッドパワコン１３・２３を前記ＰＶ余剰充電モード２に設定するものである。
このように構成することにより、蓄電池１２・２２のうち、最も残量の少ない蓄電池の残量が減るのを抑制することができる。具体的には、最も残量の少ない蓄電池を放電状態から充電状態とすること、又は放電量を減らすことができる。
【０１３４】
なお、第二実施形態に係る第三蓄電システム３０は、電力供給部の実施の一形態である。
また、本実施形態に係る太陽光発電部３１は、発電部の実施の一形態である。
また、本実施形態に係るハイブリッドパワコン３３は、パワーコンディショナの実施の一形態である。
また、本実施形態に係るセンサ４２は、下流側検出部の実施の一形態である。
また、本実施形態に係る増設センサ５２は、上流側検出部の実施の一形態である。
【０１３５】
以上、本発明の第二実施形態を説明したが、本発明は上記構成に限定されるものではなく、特許請求の範囲に記載された発明の範囲内で種々の変更が可能である。
【０１３６】
例えば、第二実施形態においては、増設センサ５１は、当該増設センサ５１の検出結果を出力するハイブリッドパワコン１３のすぐ上流側の蓄電システム（第二蓄電システム２０）の（第二接続点Ｐ２の）上流側に隣接するように設けられるものとしたが、当該すぐ上流側の蓄電システム（第二蓄電システム２０）よりもさらに上流側の蓄電システムの上流側に隣接するように設けられるものであってもよい。例えば、増設センサ５１は、図１６に示すように、第三蓄電システム３０の上流側に隣接するように設けられるようにしてもよい。図１６において、ハイブリッドパワコン１３にＰＶ余剰充電モード２が設定された場合、ＥＭＳ６０は、第一蓄電システム１０（の第一接続点Ｐ１）と増設センサ５１との間に位置する蓄電システムに待機指示を行う。すなわち、ＥＭＳ６０は、ハイブリッドパワコン２３・３３を介して、第二蓄電システム２０の蓄電池２２だけでなく、第三蓄電システム３０の蓄電池３２にも待機指示を行う。これにより、ＰＶ余剰充電モード１において第二蓄電システム２０及び第三蓄電システム３０から逆潮流されていた電力を、ＰＶ余剰充電モード２において負荷Ｈ側へと供給することができる。
【０１３７】
次に、本発明の第三実施形態に係る電力供給システム３について説明する。
【０１３８】
第三実施形態に係る電力供給システム３が、第一実施形態に係る電力供給システム１と異なる主な点は、ハイブリッドパワコン１３が、所定の条件を満たした場合に、電力を電力経路Ｌから蓄電池１２に充電させる余剰電力充電処理を行う点である。余剰電力充電処理において、ハイブリッドパワコン１３は、センサ４１（又は増設センサ５１）によって逆潮流が検知された場合、購入電力が生じないように、かつ、最大充電量となるように（最大充電量に近づくように）、電力を電力経路Ｌから蓄電池１２に充電させる。
【０１３９】
前述の如く、図５に示す第二状態においてハイブリッドパワコン１３にＰＶ余剰充電モード２が設定された場合、図６に示すように、第二蓄電システム２０から電力（１６００Ｗ）が系統電源Ｋへと逆潮流され、電力（１５００Ｗ）が負荷Ｈへと供給される。
【０１４０】
図６に示す状態において、増設センサ５１は、逆潮流する電力（１６００Ｗ）を検知している。よって、ハイブリッドパワコン１３は、余剰電力充電処理を行う。図１７に示すように、ハイブリッドパワコン１３は、余剰電力充電処理により、電力（８００Ｗ）を電力経路Ｌから蓄電池１２に充電させる。これにより、ハイブリッドパワコン１３は、太陽光発電部１１からの電力（１２００Ｗ）と合わせて、最大充電量（２０００Ｗ）で蓄電池１２に充電させる。また、第二蓄電システム２０から系統電源Ｋへと逆潮流されていた電力（１６００Ｗ）の一部（８００Ｗ）が、負荷Ｈの消費電力に用いられることで、系統電源Ｋへと逆潮流される電力が１６００Ｗから８００Ｗに減少する。
【０１４１】
このように、ハイブリッドパワコン１３をＰＶ余剰充電モード２に設定し、かつ、余剰電力充電処理を行うことにより、第二蓄電システム２０から系統電源Ｋへと逆潮流させていた電力を、蓄電池１２の充電に用いることができる。よって、ＰＶ自己消費率を向上させることができる。さらに、蓄電池１２の充電量を増やすことができる。
【０１４２】
また、前述の如く、図１３に示す第六状態において、ハイブリッドパワコン１３にＰＶ余剰充電モード２が設定された場合、図１４に示すように、第二蓄電システム２０から電力（１６００Ｗ）が系統電源Ｋへと逆潮流され、電力（１５００Ｗ）が負荷Ｈへと供給される。
【０１４３】
図１４に示す状態において、増設センサ５１は、逆潮流する電力（１６００Ｗ）を検知している。よって、ハイブリッドパワコン１３は、余剰電力充電処理を行う。図１８に示すように、ハイブリッドパワコン１３は、余剰電力充電処理により、電力（８００Ｗ）を電力経路Ｌから蓄電池１２に充電させる。これにより、ハイブリッドパワコン１３は、太陽光発電部１１からの電力（１２００Ｗ）と合わせて、最大充電量（２０００Ｗ）で蓄電池１２に充電させる。また、第二蓄電システム２０から系統電源Ｋへと逆潮流されていた電力（１６００Ｗ）の一部（８００Ｗ）が、負荷Ｈの消費電力に用いられることで、系統電源Ｋへと逆潮流される電力が１６００Ｗから８００Ｗに減少する。
【０１４４】
このように、ハイブリッドパワコン１３をＰＶ余剰充電モード２に設定し、かつ、余剰電力充電処理を行うことにより、第二蓄電システム２０から系統電源Ｋへと逆潮流させていた電力を、蓄電池１２の充電に用いることができる。よって、図１４に示す例においては悪化していたＰＶ自己消費率を向上させることができる。さらに、蓄電池１２の充電量を増やすことができる。
【０１４５】
次に、図１９に示す第七状態の電力供給システム３における電力の供給態様の例について説明する。図１９に示す第七状態においては、ハイブリッドパワコン１３・２３ともに、ＰＶ余剰充電モード１に設定されているとする。そして、図１９に示す第七状態においては、負荷Ｈの消費電力が０Ｗであり、太陽光発電部１１・２１の発電電力がそれぞれ１０００Ｗであるとする。また、蓄電池１２の残量は４０％、蓄電池２２の残量は１００％（満充電）であるとする。
【０１４６】
図１９に示す第七状態において、負荷Ｈの消費電力は０Ｗであるので、太陽光発電部１１の発電電力（１０００Ｗ）は、蓄電池１２に充電される。そして、太陽光発電部２１の発電電力（１０００Ｗ）は、系統電源Ｋへと逆潮流される。
【０１４７】
図１９に示す第七状態において、太陽光発電部２１からの電力（１０００Ｗ）が売電されており、かつ、蓄電池１２の残量は４０％である。よって、ＥＭＳ６０は、図２に示す運転モード設定処理を行うことにより、ハイブリッドパワコン１３をＰＶ余剰充電モード２に設定すると共に、第二蓄電システム２０の蓄電池２２を待機状態とする。ＰＶ余剰充電モード２に設定されたハイブリッドパワコン１３は、増設センサ５１の検出結果に基づいて負荷追従運転を行うこととなる。図１９に示す第七状態においては、増設センサ５１は、逆潮流する電力（１０００Ｗ）を検出している。
【０１４８】
そうすると、図２０に示すように、ハイブリッドパワコン１３は、増設センサ５１の検出結果に基づいて、余剰電力充電処理を行う。ハイブリッドパワコン１３は、余剰電力充電処理により、電力（１０００Ｗ）を電力経路Ｌから蓄電池１２に充電させる。これにより、ハイブリッドパワコン１３は、太陽光発電部１１からの電力（１０００Ｗ）と合わせて、最大充電量（２０００Ｗ）で蓄電池１２に充電させる。
【０１４９】
このように、ハイブリッドパワコン１３をＰＶ余剰充電モード２に設定し、かつ、余剰電力充電処理を行うことにより、第二蓄電システム２０から系統電源Ｋへと逆潮流させていた電力を、蓄電池１２の充電に用いることができる。よって、ＰＶ自己消費率を向上させることができる。さらに、蓄電池１２の充電量を増やすことができる。
【０１５０】
以上の如く、第三実施形態に係る電力供給システム３は、電力を負荷Ｈに供給する蓄電システム（電力供給部）が、系統電源Ｋと前記負荷Ｈとを接続する電力経路Ｌ（電路）に複数接続された電力供給システム１であって、前記蓄電システムは、発電可能な太陽光発電部１１・２１（発電部）と、前記太陽光発電部１１・２１によって発電された電力を充電可能であると共に当該電力を前記負荷Ｈへと供給可能な蓄電池１２・２２と、前記蓄電池１２・２２の動作を制御するハイブリッドパワコン１３・２３（パワーコンディショナ）と、を具備し、前記蓄電システムには、第一蓄電システム１０（下流側電力供給部）、及び前記第一蓄電システム１０よりも前記系統電源Ｋ側に位置する第二蓄電システム２０（上流側電力供給部）が含まれ、前記電力供給システム１は、前記電力経路Ｌに設けられて前記電力経路Ｌの当該設けられた箇所を流通する電力を検出する検出部を具備し、前記検出部は、前記電力経路Ｌにおいて前記第二蓄電システム２０の前記系統電源Ｋ側に隣接するように設けられて、前記第一蓄電システム１０の前記ハイブリッドパワコン１３に検出結果を出力可能な増設センサ５１（上流側検出部）を具備し、前記第一蓄電システム１０の前記ハイブリッドパワコン１３は、前記増設センサ５１の検出結果に基づいて前記蓄電池１２の動作を制御するＰＶ余剰充電モード２（第一モード）を実行可能に構成され、前記ＰＶ余剰充電モード２において、前記増設センサ５１が逆潮流される電力を検出した場合、当該逆潮流される電力を、前記第一蓄電システム１０の前記蓄電池１２に充電するものである。
このように構成することにより、太陽光発電部１１・２１で発電された電力を有効に活用することができる。
【符号の説明】
【０１５１】
１                  電力供給システム
１０                第一蓄電システム
１１・２１・３１    太陽光発電部
１２・２２・３２    蓄電池
１３・２３・３３    ハイブリッドパワコン
２０                第二蓄電システム
３０                第三蓄電システム
４１・４２・４３    センサ
５１・５２          増設センサ
６０                ＥＭＳ
【図１】
2019068557.tif 000003
【図２】
2019068557.tif 000004
【図３】
2019068557.tif 000005
【図４】
2019068557.tif 000006
【図５】
2019068557.tif 000007
【図６】
2019068557.tif 000008
【図７】
2019068557.tif 000009
【図８】
2019068557.tif 000010
【図９】
2019068557.tif 000011
【図１０】
2019068557.tif 000012
【図１１】
2019068557.tif 000013
【図１２】
2019068557.tif 000014
【図１３】
2019068557.tif 000015
【図１４】
2019068557.tif 000016
【図１５】
2019068557.tif 000017
【図１６】
2019068557.tif 000018
【図１７】
2019068557.tif 000019
【図１８】
2019068557.tif 000020
【図１９】
2019068557.tif 000021
【図２０】
2019068557.tif 000022